(57)【要約】【課題】本発明は河口域における海洋環境モニタリング設備を開示した。【解決手段】海岸を含み、前記海岸の中には上方に開口した河道が設置され、前記河道の中の水が前方へ流れ、前記河道の中にはサンプリング装置が移動できるように、且つ回転できるように設置され、前記サンプリング装置は前記河道の中から水のサンプルを取ってゴミ重量を検査測定でき、また前記サンプリング装置はゴミを水から分離させることができ、前記海岸の上端には荷重ベースが固定的に連結され、前記荷重ベースの上端には架台が固定的に連結され、本発明は河口に設置され、川の中で一定の体積の水の中にある浮遊物のゴミの重量を検査測定でき、ゴミの重量が大きすぎる時、人で川上のゴミの排出を制御する必要があり、またゴミを川から処理でき、大量のゴミが海に排出されることを避ける。【選択図】図１
2020203663.tif 000002
【特許請求の範囲】
【請求項１】
正面視で、海岸を含み、
前記海岸の中には上方に開口した河道が設置され、前記河道の中の水が前方へ流れ、前記河道の中にはサンプリング装置が移動できるように、且つ回転できるように設置され、前記サンプリング装置は前記河道の中から水のサンプルを取ってゴミ重量を検査測定でき、また前記サンプリング装置はゴミを水から分離させることができ、
前記海岸の上端には荷重ベースが固定的に連結され、前記荷重ベースの上端には架台が固定的に連結され、前記荷重ベースの中には抜き孔が上下に貫通するように設置され、前記抜き孔が前記河道に正対しており、前記サンプリング装置が前記抜き孔の中に位置しており、
前記荷重ベースと前記架台との間には回転持ち上げ装置が連結され、前記回転持ち上げ装置が前記サンプリング装置に回転できるように連結され、前記サンプリング装置を駆動して前記サンプリング装置を連動させて回転又は昇降させることができ、前記サンプリング装置の回転範囲は九十度であり、前記サンプリング装置が水のサンプルを取るのに便利を与え、前記回転持ち上げ装置の上端には補助装置が回転できるように連結され、前記補助装置は前記回転持ち上げ装置が前記サンプリング装置を昇降させることを補助でき、且つ前記サンプリング装置の昇降を安定させ、
前記架台の下端には位置制限スイッチが左右対称的に、且つ固定的に連結され、前記位置制限スイッチが前記回転持ち上げ装置に通電できるように連結され、前記位置制限スイッチは前記回転持ち上げ装置の起動と停止を制御できることを特徴とする河口域における海洋環境モニタリング設備。
【請求項２】
前記回転持ち上げ装置は前記抜き孔の左右両側内壁の中に左右対称的に設置されたギヤチャンバを含み、前記ギヤチャンバの中には主動ギヤが回転できるように設置され、前記主動ギヤの中には長回転軸が固定的に設置され、前記長回転軸の上端が前記補助装置に連結され、前記ギヤチャンバの下側内壁の中には巻上電動機が固定的に設置され、両側の前記巻上電動機がそれぞれ両側の前記位置制限スイッチに通電できるように連結され、前記長回転軸の下端が前記巻上電動機に動力が伝達できるように連結され、
前記主動ギヤのうち対称中心に近接した一端には従動ギヤが噛み合うように設置され、前記従動ギヤの中には鉛直スクリューが固定的に連結され、前記鉛直スクリューの上端が前記架台に回転できるように連結され、前記鉛直スクリューの円周面にはスライドできるネジ山ブロックがネジ山によって連結され、前記ネジ山ブロックのうち対称中心に近接した一端には鉛直コンロッドが固定的に連結され、前記鉛直コンロッドが前記サンプリング装置に回転できるように連結されていることを特徴とする請求項１に記載の河口域における海洋環境モニタリング設備。
【請求項３】
前記鉛直コンロッドのうち対称中心から離れた一端には固定ブロックが固定的に連結され、前記固定ブロックが前記ネジ山ブロックの下側に位置しており、前記固定ブロックの中には対称中心の方向に開口した連通チャンバが設置され、前記連通チャンバが前記鉛直コンロッドの中に伸びており、前記連通チャンバの中には主動プーリが回転できるように設置され、前記主動プーリのうち対称中心に近接した片側には従動プーリが回転できるように設置され、前記主動プーリと前記従動プーリとの間にはベルトコンベヤーが連結され、前記主動プーリの中にはスプライン軸がスプラインによって連結され、前記スプライン軸が前記固定ブロックに回転できるように連結され、前記スプライン軸が前記鉛直スクリューの円周面に固定的に連結され、
前記従動プーリの中には鉛直軸が固定的に連結され、前記連通チャンバの下側内壁の中には減速チャンバが設置され、前記鉛直軸の下端が前記減速チャンバの中に伸びており、また前記鉛直軸の下端には小ベベルギヤが固定的に連結され、前記小ベベルギヤのうち対称中心に近接した一端には大ベベルギヤが噛み合うように設置され、前記大ベベルギヤのうち対称中心に近接した一端には緩速回転軸が固定的に連結され、前記緩速回転軸のうち対称中心に近接した一端が前記サンプリング装置に固定的に連結されていることを特徴とする請求項２に記載の河口域における海洋環境モニタリング設備。
【請求項４】
前記サンプリング装置は前記河道及び前記抜き孔の中に回転できるように、且つスライドできるように設置された貯水桶を含み、両側の前記鉛直コンロッドが前記貯水桶の左右両端に回転できるように連結され、両側の前記緩速回転軸が前記貯水桶の左右両端に固定的に連結され、
前記貯水桶の中には上方に開口した貯水チャンバが設置され、水のサンプルを前記貯水チャンバの中に入れることができ、前記貯水チャンバの中にはスライド板がスライドできるように設置され、前記スライド板の下端には固定スライダが固定的に連結され、前記固定スライダの中には下方に開口した密封チャンバが設置され、前記貯水チャンバの下端には固定ピストンが固定的に連結され、前記固定ピストンの上端が前記密封チャンバの中に伸びており、また前記固定ピストンの上端には圧力プローブが固定的に連結され、前記圧力プローブは前記密封チャンバの中の気圧値を検査測定できることを特徴とする請求項１に記載の河口域における海洋環境モニタリング設備。
【請求項５】
前記貯水チャンバの下側内壁には伝動チャンバが左右対称的に設置され、前記伝動チャンバの中には噛み合いギヤが前後対称的に、且つ回転できるように設置され、前後両側の前記噛み合いギヤの間が噛み合っており、左右両側の前記噛み合いギヤのうち対称中心から離れた一端にはベルト巻き輪が固定的に連結され、左右両側の前記ベルト巻き輪の間には電動軸が固定的に連結され、左側の前記伝動チャンバの左側内壁の中にはモーターが固定的に設置され、前側の前記電動軸の左端が前記モーターに動力が伝達できるように連結され、前記ベルト巻き輪の円周面には張りベルトが巻き付いており、
前記伝動チャンバの上側内壁の中にはベルト溝が前後対称的に、且つ連通するように形成されており、前記ベルト溝の上側内壁の中には上方に開口した収納チャンバが連通するように設置され、前記収納チャンバのうち対称中心に近接した片側内壁が前記貯水チャンバに連通しており、前記収納チャンバの左右内壁の間にはねじれ軸が回転できるように連結され、前記ねじれ軸の円周面にはねじれ輪が左右対称的に固定的に連結され、前記張りベルトの上端が前記収納チャンバの中に伸びており、且つ前記ねじれ輪の円周面に巻き付いており、両側の前記ねじれ軸の間にはフィルターが巻き付くように連結され、前記ベルト溝の中には密封ブロックが固定的に設置され、前記張りベルトが前記密封ブロックにスライドできるように連結されていることを特徴とする請求項４に記載の河口域における海洋環境モニタリング設備。
【請求項６】
左右両側の前記ねじれ輪のうち対称中心から離れた一端と前記収納チャンバの左右両側内壁との間にはトーションばねが固定的に連結されていることを特徴とする請求項４に記載の河口域における海洋環境モニタリング設備。
【請求項７】
前記補助装置は前記架台の中に左右対称的に設置された転向チャンバを含み、両側の前記長回転軸の上端がそれぞれ両側の前記転向チャンバの中に伸びており、また両側の前記長回転軸の上端には転向主動ギヤが固定的に連結され、前記転向主動ギヤの前側には転向従動ギヤが噛み合うように設置され、前記転向従動ギヤの前端には連結軸が固定的に連結され、前記連結軸の円周面にはチェーン巻き輪が固定的に連結され、前記転向チャンバのうち対称中心に近接した片側内壁の中には下方に開口した方向ガイドチャンバが設置され、前記方向ガイドチャンバの前後内壁の間には固定軸が回転できるように連結され、前記固定軸の円周面には方向ガイド輪が固定的に連結され、前記方向ガイド輪と前記チェーン巻き輪との間にはチェーンが連結され、前記チェーンの下端が前記貯水桶に固定的に連結されていることを特徴とする請求項１に記載の河口域における海洋環境モニタリング設備。
【請求項８】
前記方向ガイド輪の中には前記固定軸に背を向ける方向に開口した方向ガイド溝が形成されていることを特徴とする請求項７に記載の河口域における海洋環境モニタリング設備。
【発明の詳細な説明】
【技術分野】
【０００１】
本発明は環境保護分野に関わり、具体的には河口域における海洋環境モニタリング設備である。
【背景技術】
【０００２】
海洋の中にある多くの環境汚染物質は人によってもたらされ、人は廃棄物を河に排出し、河は廃棄物を海に排出し、一部の海に排出された水溶性廃棄物は海洋生態系によって自動的に浄化され、しかし大量の浮遊物のゴミは海に排出された後に分解されることは全然できなく、また浮遊物のゴミは海洋生物に危害を及ぼし、現在、一般的には海面を漂流している浮遊物のゴミは汽船によって引き上げられて処理され、処理効率が低く、資源を浪費し、またゴミが継続して河から海へ排出されることを阻止できなく、そして異なる河によって海へ排出されるゴミの数量も異なり、本発明は河口域における海洋環境モニタリング設備を開示し、上記の問題を解決でき、本発明は河口に設置され、川の中で一定の体積の水の中にある浮遊物のゴミの重量を検査測定でき、ゴミの重量が大きすぎる時、人で川上のゴミの排出を制御する必要があり、またゴミを川から処理でき、大量のゴミが海に排出されることを避ける。
【先行技術文献】
【特許文献】
【０００３】
【特許文献１】中国特許出願公開第１０３２１３６６２号明細書
【発明の概要】
【発明が解決しようとする課題】
【０００４】
技術上の問題：
海洋の中にある浮遊物のゴミは一般的に河流から排出されるのであり、既存の技術は河流から海洋に排出されるゴミを有効的に制御できない。
【課題を解決するための手段】
【０００５】
上記の問題を解決するため、本発明は河口域における海洋環境モニタリング設備をデザインし、本発明に説明した河口域における海洋環境モニタリング設備は、海岸を含み、前記海岸の中には上方に開口した河道が設置され、前記河道の中の水が前方へ流れ、前記河道の中にはサンプリング装置が移動できるように、且つ回転できるように設置され、前記サンプリング装置は前記河道の中から水のサンプルを取ってゴミ重量を検査測定でき、また前記サンプリング装置はゴミを水から分離させることができ、前記海岸の上端には荷重ベースが固定的に連結され、前記荷重ベースの上端には架台が固定的に連結され、前記荷重ベースの中には抜き孔が上下に貫通するように設置され、前記抜き孔が前記河道に正対しており、前記サンプリング装置が前記抜き孔の中に位置しており、前記荷重ベースと前記架台との間には回転持ち上げ装置が連結され、前記回転持ち上げ装置が前記サンプリング装置に回転できるように連結され、前記サンプリング装置を駆動して前記サンプリング装置を連動させて回転又は昇降させることができ、前記サンプリング装置の回転範囲は九十度であり、前記サンプリング装置が水のサンプルを取るのに便利を与え、前記回転持ち上げ装置の上端には補助装置が回転できるように連結され、前記補助装置は前記回転持ち上げ装置が前記サンプリング装置を昇降させることを補助でき、且つ前記サンプリング装置の昇降を安定させ、前記架台の下端には位置制限スイッチが左右対称的に、且つ固定的に連結され、前記位置制限スイッチが前記回転持ち上げ装置に通電できるように連結され、前記位置制限スイッチは前記回転持ち上げ装置の起動と停止を制御できる。
【０００６】
有益なように、前記回転持ち上げ装置は前記抜き孔の左右両側内壁の中に左右対称的に設置されたギヤチャンバを含み、前記ギヤチャンバの中には主動ギヤが回転できるように設置され、前記主動ギヤの中には長回転軸が固定的に設置され、前記長回転軸の上端が前記補助装置に連結され、前記ギヤチャンバの下側内壁の中には巻上電動機が固定的に設置され、両側の前記巻上電動機がそれぞれ両側の前記位置制限スイッチに通電できるように連結され、前記長回転軸の下端が前記巻上電動機に動力が伝達できるように連結され、前記主動ギヤのうち対称中心に近接した一端には従動ギヤが噛み合うように設置され、前記従動ギヤの中には鉛直スクリューが固定的に連結され、前記鉛直スクリューの上端が前記架台に回転できるように連結され、前記鉛直スクリューの円周面にはスライドできるネジ山ブロックがネジ山によって連結され、前記ネジ山ブロックのうち対称中心に近接した一端には鉛直コンロッドが固定的に連結され、前記鉛直コンロッドが前記サンプリング装置に回転できるように連結され、前記鉛直コンロッドが昇降することによって前記サンプリング装置を上昇連動させることができ、前記鉛直コンロッドの上端が前記位置制限スイッチと接触した時、前記巻上電動機を止める。
【０００７】
好ましくは、前記鉛直コンロッドのうち対称中心から離れた一端には固定ブロックが固定的に連結され、前記固定ブロックが前記ネジ山ブロックの下側に位置しており、前記固定ブロックの中には対称中心の方向に開口した連通チャンバが設置され、前記連通チャンバが前記鉛直コンロッドの中に伸びており、前記連通チャンバの中には主動プーリが回転できるように設置され、前記主動プーリのうち対称中心に近接した片側には従動プーリが回転できるように設置され、前記主動プーリと前記従動プーリとの間にはベルトコンベヤーが連結され、前記主動プーリの中にはスプライン軸がスプラインによって連結され、前記スプライン軸が前記固定ブロックに回転できるように連結され、前記スプライン軸が前記鉛直スクリューの円周面に固定的に連結され、前記従動プーリの中には鉛直軸が固定的に連結され、前記連通チャンバの下側内壁の中には減速チャンバが設置され、前記鉛直軸の下端が前記減速チャンバの中に伸びており、また前記鉛直軸の下端には小ベベルギヤが固定的に連結され、前記小ベベルギヤのうち対称中心に近接した一端には大ベベルギヤが噛み合うように設置され、前記大ベベルギヤのうち対称中心に近接した一端には緩速回転軸が固定的に連結され、前記緩速回転軸のうち対称中心に近接した一端が前記サンプリング装置に固定的に連結され、前記緩速回転軸が前記サンプリング装置を回転連動させることができる。
【０００８】
有益なように、前記サンプリング装置は前記河道及び前記抜き孔の中に回転できるように、且つスライドできるように設置された貯水桶を含み、両側の前記鉛直コンロッドが前記貯水桶の左右両端に回転できるように連結され、両側の前記緩速回転軸が前記貯水桶の左右両端に固定的に連結され、前記貯水桶の中には上方に開口した貯水チャンバが設置され、水のサンプルを前記貯水チャンバの中に入れることができ、前記貯水チャンバの中にはスライド板がスライドできるように設置され、前記スライド板の下端には固定スライダが固定的に連結され、前記固定スライダの中には下方に開口した密封チャンバが設置され、前記貯水チャンバの下端には固定ピストンが固定的に連結され、前記固定ピストンの上端が前記密封チャンバの中に伸びており、また前記固定ピストンの上端には圧力プローブが固定的に連結され、前記圧力プローブは前記密封チャンバの中の気圧値を検査測定でき、ゴミを処理する前又はゴミを処理した後に前記圧力プローブが検査測定した前記密封チャンバの気圧の変化値により、ゴミの重量を示す。
【０００９】
好ましくは、前記貯水チャンバの下側内壁には伝動チャンバが左右対称的に設置され、前記伝動チャンバの中には噛み合いギヤが前後対称的に、且つ回転できるように設置され、前後両側の前記噛み合いギヤの間が噛み合っており、左右両側の前記噛み合いギヤのうち対称中心から離れた一端にはベルト巻き輪が固定的に連結され、左右両側の前記ベルト巻き輪の間には電動軸が固定的に連結され、左側の前記伝動チャンバの左側内壁の中にはモーターが固定的に設置され、前側の前記電動軸の左端が前記モーターに動力が伝達できるように連結され、前記ベルト巻き輪の円周面には張りベルトが巻き付いており、前記伝動チャンバの上側内壁の中にはベルト溝が前後対称的に、且つ連通するように形成されており、前記ベルト溝の上側内壁の中には上方に開口した収納チャンバが連通するように設置され、前記収納チャンバのうち対称中心に近接した片側内壁が前記貯水チャンバに連通しており、前記収納チャンバの左右内壁の間にはねじれ軸が回転できるように連結され、前記ねじれ軸の円周面にはねじれ輪が左右対称的に固定的に連結され、前記張りベルトの上端が前記収納チャンバの中に伸びており、且つ前記ねじれ輪の円周面に巻き付いており、両側の前記ねじれ軸の間にはフィルターが巻き付くように連結され、前記ベルト溝の中には密封ブロックが固定的に設置され、前記張りベルトが前記密封ブロックにスライドできるように連結され、前記密封ブロックは水が前記ベルト溝の中に流れ込むことを避けられる。
【００１０】
好ましくは、左右両側の前記ねじれ輪のうち対称中心から離れた一端と前記収納チャンバの左右両側内壁との間にはトーションばねが固定的に連結されている。
【００１１】
有益なように、前記補助装置は前記架台の中に左右対称的に設置された転向チャンバを含み、両側の前記長回転軸の上端がそれぞれ両側の前記転向チャンバの中に伸びており、また両側の前記長回転軸の上端には転向主動ギヤが固定的に連結され、前記転向主動ギヤの前側には転向従動ギヤが噛み合うように設置され、前記転向従動ギヤの前端には連結軸が固定的に連結され、前記連結軸の円周面にはチェーン巻き輪が固定的に連結され、前記転向チャンバのうち対称中心に近接した片側内壁の中には下方に開口した方向ガイドチャンバが設置され、前記方向ガイドチャンバの前後内壁の間には固定軸が回転できるように連結され、前記固定軸の円周面には方向ガイド輪が固定的に連結され、前記方向ガイド輪と前記チェーン巻き輪との間にはチェーンが連結され、前記チェーンの下端が前記貯水桶に固定的に連結されている。
【００１２】
好ましくは、前記方向ガイド輪の中には前記固定軸に背を向ける方向に開口した方向ガイド溝が形成されており、前記チェーンが前記方向ガイド溝に沿ってスライドし、前記方向ガイド溝は前記チェーンがスライドする時に前後にずれが生じることを避ける。
【発明の効果】
【００１３】
本発明の有益な効果は：本発明は河口に設置され、川の中で一定の体積の水の中にある浮遊物のゴミの重量を検査測定でき、ゴミの重量が大きすぎる時、人で川上のゴミの排出を制御する必要があり、またゴミを川から処理でき、大量のゴミが海に排出されることを避ける。
【図面の簡単な説明】
【００１４】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の河口域における海洋環境モニタリング設備の全体構造略図
【図２】図２は図１の「Ａ」の拡大略図
【図３】図３は図１の「Ｂ」の拡大略図
【図４】図４は図１の「Ｃ」の拡大略図
【図５】図５は図１の「Ｄ」の拡大略図
【図６】図６は図２の「Ｅ―Ｅ」方向の構造略図
【図７】図７は図５の「Ｆ―Ｆ」方向の構造略図
【図８】図８は図７の「Ｇ―Ｇ」方向の構造略図
【発明を実施するための形態】
【００１６】
本発明は河口域における海洋環境モニタリング設備に関わり、主に河口域の浮遊物のゴミの重量を検査測定と整理することに応用され、下記に本発明付図を合わせて本発明にさらなる説明を行う：
【００１７】
本発明に説明した河口域における海洋環境モニタリング設備は、海岸１１を含み、前記海岸１１の中には上方に開口した河道１３が設置され、前記河道１３の中の水が前方へ流れ、前記河道１３の中にはサンプリング装置１００が移動できるように、且つ回転できるように設置され、前記サンプリング装置は前記河道１３の中から水のサンプルを取ってゴミ重量を検査測定でき、また前記サンプリング装置１００はゴミを水から分離させることができ、前記海岸１１の上端には荷重ベース３７が固定的に連結され、前記荷重ベース３７の上端には架台１５が固定的に連結され、前記荷重ベース３７の中には抜き孔４６が上下に貫通するように設置され、前記抜き孔４６が前記河道１３に正対しており、前記サンプリング装置１００が前記抜き孔４６の中に位置しており、前記荷重ベース３７と前記架台１５との間には回転持ち上げ装置１０１が連結され、前記回転持ち上げ装置１０１が前記サンプリング装置１００に回転できるように連結され、前記サンプリング装置１０１を駆動して前記サンプリング装置１００を連動させて回転又は昇降させることができ、前記サンプリング装置１００の回転範囲は九十度であり、前記サンプリング装置１００が水のサンプルを取るのに便利を与え、前記回転持ち上げ装置１０１の上端には補助装置１０２が回転できるように連結され、前記補助装置１０２は前記回転持ち上げ装置１０１が前記サンプリング装置１００を昇降させることを補助でき、且つ前記サンプリング装置１００の昇降を安定させ、前記架台１５の下端には位置制限スイッチ２０が左右対称的に、且つ固定的に連結され、前記位置制限スイッチ２０が前記回転持ち上げ装置１０１に通電できるように連結され、前記位置制限スイッチ２０は前記回転持ち上げ装置１０１の起動と停止を制御できる。
【００１８】
実施例により、以下、前記回転持ち上げ装置１０１を詳しく説明し、前記回転持ち上げ装置１０１は前記抜き孔４６の左右両側内壁の中に左右対称的に設置されたギヤチャンバ３９を含み、前記ギヤチャンバ３９の中には主動ギヤ３８が回転できるように設置され、前記主動ギヤ３８の中には長回転軸２８が固定的に設置され、前記長回転軸２８の上端が前記補助装置１０２に連結され、前記ギヤチャンバ３９の下側内壁の中には巻上電動機４０が固定的に設置され、両側の前記巻上電動機４０がそれぞれ両側の前記位置制限スイッチ２０に通電できるように連結され、前記長回転軸２８の下端が前記巻上電動機４０に動力が伝達できるように連結され、前記主動ギヤ３８のうち対称中心に近接した一端には従動ギヤ４１が噛み合うように設置され、前記従動ギヤ４１の中には鉛直スクリュー２７が固定的に連結され、前記鉛直スクリュー２７の上端が前記架台１５に回転できるように連結され、前記鉛直スクリュー２７の円周面にはスライドできるネジ山ブロック２６がネジ山によって連結され、前記ネジ山ブロック２６のうち対称中心に近接した一端には鉛直コンロッド２５が固定的に連結され、前記鉛直コンロッド２５が前記サンプリング装置１００に回転できるように連結され、前記鉛直コンロッド２５が昇降することによって前記サンプリング装置１００を上昇連動させることができ、前記鉛直コンロッド２５の上端が前記位置制限スイッチ２０と接触した時、前記巻上電動機４０を止める。
【００１９】
有益なように、前記鉛直コンロッド２５のうち対称中心から離れた一端には固定ブロック２９が固定的に連結され、前記固定ブロック２９が前記ネジ山ブロック２６の下側に位置しており、前記固定ブロック２９の中には対称中心の方向に開口した連通チャンバ３５が設置され、前記連通チャンバ３５が前記鉛直コンロッド２５の中に伸びており、前記連通チャンバ３５の中には主動プーリ３０が回転できるように設置され、前記主動プーリ３０のうち対称中心に近接した片側には従動プーリ３４が回転できるように設置され、前記主動プーリ３０と前記従動プーリ３４との間にはベルトコンベヤー３２が連結され、前記主動プーリ３０の中にはスプライン軸３１がスプラインによって連結され、前記スプライン軸３１が前記固定ブロック２９に回転できるように連結され、前記スプライン軸３１が前記鉛直スクリュー２７の円周面に固定的に連結され、前記従動プーリ３４の中には鉛直軸３３が固定的に連結され、前記連通チャンバ３５の下側内壁の中には減速チャンバ４５が設置され、前記鉛直軸３３の下端が前記減速チャンバ４５の中に伸びており、また前記鉛直軸３３の下端には小ベベルギヤ３６が固定的に連結され、前記小ベベルギヤ３６のうち対称中心に近接した一端には大ベベルギヤ４３が噛み合うように設置され、前記大ベベルギヤ４３のうち対称中心に近接した一端には緩速回転軸４４が固定的に連結され、前記緩速回転軸４４のうち対称中心に近接した一端が前記サンプリング装置１００に固定的に連結され、前記緩速回転軸４４が前記サンプリング装置１００を回転連動させることができる。
【００２０】
実施例により、以下、前記サンプリング装置１００を詳しく説明し、前記サンプリング装置１００は前記河道１３及び前記抜き孔４６の中に回転できるように、且つスライドできるように設置された貯水桶１２を含み、両側の前記鉛直コンロッド２５が前記貯水桶１２の左右両端に回転できるように連結され、両側の前記緩速回転軸４４が前記貯水桶１２の左右両端に固定的に連結され、前記貯水桶１２の中には上方に開口した貯水チャンバ５６が設置され、水のサンプルを前記貯水チャンバ５６の中に入れることができ、前記貯水チャンバ５６の中にはスライド板５８がスライドできるように設置され、前記スライド板５８の下端には固定スライダ５５が固定的に連結され、前記固定スライダ５５の中には下方に開口した密封チャンバ５７が設置され、前記貯水チャンバ５６の下端には固定ピストン５３が固定的に連結され、前記固定ピストン５３の上端が前記密封チャンバ５７の中に伸びており、また前記固定ピストン５３の上端には圧力プローブ５４が固定的に連結され、前記圧力プローブ５４は前記密封チャンバ５７の中の気圧値を検査測定でき、ゴミを処理する前又はゴミを処理した後に前記圧力プローブ５４が検査測定した前記密封チャンバ５７の気圧の変化値により、ゴミの重量を示す。
【００２１】
有益なように、前記貯水チャンバ５６の下側内壁には伝動チャンバ４７が左右対称的に設置され、前記伝動チャンバ４７の中には噛み合いギヤ５１が前後対称的に、且つ回転できるように設置され、前後両側の前記噛み合いギヤ５１の間が噛み合っており、左右両側の前記噛み合いギヤ５１のうち対称中心から離れた一端にはベルト巻き輪５０が固定的に連結され、左右両側の前記ベルト巻き輪５０の間には電動軸５２が固定的に連結され、左側の前記伝動チャンバ４７の左側内壁の中にはモーター４９が固定的に設置され、前側の前記電動軸５２の左端が前記モーター４９に動力が伝達できるように連結され、前記ベルト巻き輪５０の円周面には張りベルト４８が巻き付いており、前記伝動チャンバ４７の上側内壁の中にはベルト溝６１が前後対称的に、且つ連通するように形成されており、前記ベルト溝６１の上側内壁の中には上方に開口した収納チャンバ６３が連通するように設置され、前記収納チャンバ６３のうち対称中心に近接した片側内壁が前記貯水チャンバ５６に連通しており、前記収納チャンバ６３の左右内壁の間にはねじれ軸６４が回転できるように連結され、前記ねじれ軸６４の円周面にはねじれ輪６５が左右対称的に固定的に連結され、前記張りベルト４８の上端が前記収納チャンバ６３の中に伸びており、且つ前記ねじれ輪６５の円周面に巻き付いており、両側の前記ねじれ軸６４の間にはフィルター１４が巻き付くように連結され、前記ベルト溝６１の中には密封ブロック６２が固定的に設置され、前記張りベルト４８が前記密封ブロック６２にスライドできるように連結され、前記密封ブロック６２は水が前記ベルト溝６１の中に流れ込むことを避けられる。
【００２２】
有益なように、左右両側の前記ねじれ輪６５のうち対称中心から離れた一端と前記収納チャンバ６３の左右両側内壁との間にはトーションばね６６が固定的に連結されている。
【００２３】
実施例により、以下、前記補助装置１０２を詳しく説明し、前記補助装置１０２は前記架台１５の中に左右対称的に設置された転向チャンバ１７を含み、両側の前記長回転軸２８の上端がそれぞれ両側の前記転向チャンバ１７の中に伸びており、また両側の前記長回転軸２８の上端には転向主動ギヤ６０が固定的に連結され、前記転向主動ギヤ６０の前側には転向従動ギヤ５９が噛み合うように設置され、前記転向従動ギヤ５９の前端には連結軸１６が固定的に連結され、前記連結軸１６の円周面にはチェーン巻き輪１８が固定的に連結され、前記転向チャンバ１７のうち対称中心に近接した片側内壁の中には下方に開口した方向ガイドチャンバ２１が設置され、前記方向ガイドチャンバ２１の前後内壁の間には固定軸２３が回転できるように連結され、前記固定軸２３の円周面には方向ガイド輪２２が固定的に連結され、前記方向ガイド輪２２と前記チェーン巻き輪１８との間にはチェーン１９が連結され、前記チェーン１９の下端が前記貯水桶１２に固定的に連結されている。
【００２４】
有益なように、前記方向ガイド輪２２の中には前記固定軸２３に背を向ける方向に開口した方向ガイド溝２４が形成されており、前記チェーン１９が前記方向ガイド溝２４に沿ってスライドし、前記方向ガイド溝２４は前記チェーン１９がスライドする時に前後にずれが生じることを避ける。
【００２５】
以下、図１〜８を合わせて本出願の河口域における海洋環境モニタリング設備の使用ステップについて詳しく説明する：
【００２６】
初期状態の時、フィルター１４が緩んだ状態にあり、この時にトーションばね６６が正常状態にあり、鉛直コンロッド２５が位置制限スイッチ２０と接触し、ネジ山ブロック２６が上方の限界位置にあり、貯水桶１２が鉛直状態を保持し、且つ上方の限界位置にある。
【００２７】
巻上電動機４０を始動し、更に長回転軸２８によって主動ギヤ３８を回転連動させ、更に従動ギヤ４１を回転連動させ、更に鉛直スクリュー２７によってスプライン軸３１を回転連動させ、更に主動プーリ３０を回転連動させ、更にベルトコンベヤー３２によって従動プーリ３４を回転連動させ、更に鉛直軸３３によって小べベルギヤ３６を回転連動させ、更に大べベルギヤ４３を回転連動させ、更に緩速回転軸４４によって貯水桶１２を回転連動させ、同時に鉛直スクリュー２７がネジ山ブロック２６を下降連動させ、更に鉛直コンロッド２５を下降連動させ、更に貯水桶１２を下降連動させ、主動プーリ３０とスプライン軸３１とが始終連結された状態を保持し、ネジ山ブロック２６が固定ブロック２９と接触した時、貯水桶１２が下方の限界位置に下降して河の中に伸び、この時に巻上電動機４０を停止し、貯水桶１２が九十度回転して貯水チャンバ５６の開口を後方に向かせてサンプリングし始め、水流によってフィルター１４を連動させて貯水チャンバ５６の中に伸びさせ、フィルター１４は水の中の浮遊物のゴミを止めることができ、貯水チャンバ５６の中に水が充満した後に巻上電動機４０を逆方向に回転させ、サンプルとされた水の体積が貯水チャンバ５６の体積と同じであり、更に貯水桶１２を連動させて逆方向に回転させて且つ上昇させ、鉛直コンロッド２５が位置制限スイッチ２０と接触した時に巻上電動機４０を停止し、長回転軸２８が回転する時に転向主動ギヤ６０を回転連動させることができ、更に転向従動ギヤ５９を回転連動させ、更に連結軸１６によってチェーン巻き輪１８を回転連動させ、更にチェーン１９によって貯水桶１２を引き止め、更に貯水桶１２が昇降することを補助でき、チェーン１９によって貯水桶１２が方向ガイド溝２４に沿ってスライドし、方向ガイド溝２４はチェーン１９の前後にずれが生じることを避けることができ、更に貯水桶１２の昇降を安定させることができる。
【００２８】
貯水チャンバ５６の中の水圧によってスライド板５８をスライド連動させ、更に固定スライダ５５をスライドさせ、更に密封チャンバ５７の中の気体を圧縮して密封チャンバ５７の中の気圧を増大させ、圧力プローブ５４がリアルタイムに密封チャンバ５７の中の気圧を監視測定し、この時にモーター４９を起動させ、更に前側の電動軸５２によって前側の二つの噛み合いギヤ５１を回転連動させ、前側の噛み合いギヤ５１が後側の噛み合いギヤ５１を回転連動させ、前後両側の噛み合いギヤ５１の回転する方向は反対であり、噛み合いギヤ５１がベルト巻き輪５０を回転連動させ、更に張りベルト４８によってねじれ輪６５を回転連動させ、更にねじれ軸６４を回転連動させてトーションばね６６を捻じり、更にフィルター１４を巻き、更にフィルター１４によってゴミを貯水チャンバ５６から連れ出して水から離脱させ、この時にゴミを処理でき、密封ブロック６２は水がベルト溝６１の中に入ることを避けられ、この時にゴミが水から離脱した後、スライド板５８の受けた圧力が小さくなり、この時に密封チャンバ５７の中にある気体の圧力によってスライド板５８と固定スライダ５５とを上昇連動させ、更に密封チャンバ５７の中の気圧が下がり、密封チャンバ５７の中の気圧の変化値によって貯水チャンバ５６の体積と同じな海洋ゴミの重量を示し、浮遊物のゴミの重量が大きすぎる時、人で川上のゴミの排出を制御する必要がある。
【００２９】
本発明の有益な効果は：本発明は河口に設置され、川の中で一定の体積の水の中にある浮遊物のゴミの重量を検査測定でき、ゴミの重量が大きすぎる時、人で川上のゴミの排出を制御する必要があり、またゴミを川から処理でき、大量のゴミが海に排出されることを避ける。
【００３０】
上記の方式によって、当業者は本発明の範囲内で作動モードに基づいて様々な変わりを行える。
【図１】
2020203663.tif 000003
【図２】
2020203663.tif 000004
【図３】
2020203663.tif 000005
【図４】
2020203663.tif 000006
【図５】
2020203663.tif 000007
【図６】
2020203663.tif 000008
【図７】
2020203663.tif 000009
【図８】
2020203663.tif 000010
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
正面視で、海岸を含み、
前記海岸の中には上方に開口した河道が設置され、前記河道の中の水が前方へ流れ、前記河道の中にはサンプリング装置が移動できるように、且つ回転できるように設置され、前記サンプリング装置は前記河道の中から水のサンプルを取ってゴミ重量を検査測定でき、また前記サンプリング装置はゴミを水から分離させることができ、
前記海岸の上端には荷重ベースが固定的に連結され、前記荷重ベースの上端には架台が固定的に連結され、前記荷重ベースの中には抜き孔が上下に貫通するように設置され、前記抜き孔が前記河道に正対しており、前記サンプリング装置が前記抜き孔の中に位置しており、
前記荷重ベースと前記架台との間には回転持ち上げ装置が連結され、前記回転持ち上げ装置が前記サンプリング装置に回転できるように連結され、前記サンプリング装置を駆動して前記サンプリング装置を連動させて回転又は昇降させることができ、前記サンプリング装置の回転範囲は九十度であり、前記サンプリング装置が水のサンプルを取るのに便利を与え、前記回転持ち上げ装置の上端には補助装置が回転できるように連結され、前記補助装置は前記回転持ち上げ装置が前記サンプリング装置を昇降させることを補助でき、且つ前記サンプリング装置の昇降を安定させ、
前記架台の下端には位置制限スイッチが左右対称的に、且つ固定的に連結され、前記位置制限スイッチが前記回転持ち上げ装置に通電できるように連結され、前記位置制限スイッチは前記回転持ち上げ装置の起動と停止を制御できることを特徴とする河口域における海洋環境モニタリング設備。
【請求項２】
前記回転持ち上げ装置は前記抜き孔の左右両側内壁の中に左右対称的に設置されたギヤチャンバを含み、前記ギヤチャンバの中には主動ギヤが回転できるように設置され、前記主動ギヤの中には長回転軸が固定的に設置され、前記長回転軸の上端が前記補助装置に連結され、前記ギヤチャンバの下側内壁の中には巻上電動機が固定的に設置され、両側の前記巻上電動機がそれぞれ両側の前記位置制限スイッチに通電できるように連結され、前記長回転軸の下端が前記巻上電動機に動力が伝達できるように連結され、
前記主動ギヤのうち対称中心に近接した一端には従動ギヤが噛み合うように設置され、前記従動ギヤの中には鉛直スクリューが固定的に連結され、前記鉛直スクリューの上端が前記架台に回転できるように連結され、前記鉛直スクリューの円周面にはスライドできるネジ山ブロックがネジ山によって連結され、前記ネジ山ブロックのうち対称中心に近接した一端には鉛直コンロッドが固定的に連結され、前記鉛直コンロッドが前記サンプリング装置に回転できるように連結されていることを特徴とする請求項１に記載の河口域における海洋環境モニタリング設備。
【請求項３】
前記鉛直コンロッドのうち対称中心から離れた一端には固定ブロックが固定的に連結され、前記固定ブロックが前記ネジ山ブロックの下側に位置しており、前記固定ブロックの中には対称中心の方向に開口した連通チャンバが設置され、前記連通チャンバが前記鉛直コンロッドの中に伸びており、前記連通チャンバの中には主動プーリが回転できるように設置され、前記主動プーリのうち対称中心に近接した片側には従動プーリが回転できるように設置され、前記主動プーリと前記従動プーリとの間にはベルトコンベヤーが連結され、前記主動プーリの中にはスプライン軸がスプラインによって連結され、前記スプライン軸が前記固定ブロックに回転できるように連結され、前記スプライン軸が前記鉛直スクリューの円周面に固定的に連結され、
前記従動プーリの中には鉛直軸が固定的に連結され、前記連通チャンバの下側内壁の中には減速チャンバが設置され、前記鉛直軸の下端が前記減速チャンバの中に伸びており、また前記鉛直軸の下端には小ベベルギヤが固定的に連結され、前記小ベベルギヤのうち対称中心に近接した一端には大ベベルギヤが噛み合うように設置され、前記大ベベルギヤのうち対称中心に近接した一端には緩速回転軸が固定的に連結され、前記緩速回転軸のうち対称中心に近接した一端が前記サンプリング装置に固定的に連結されていることを特徴とする請求項２に記載の河口域における海洋環境モニタリング設備。
【請求項４】
前記サンプリング装置は前記河道及び前記抜き孔の中に回転できるように、且つスライドできるように設置された貯水桶を含み、両側の前記鉛直コンロッドが前記貯水桶の左右両端に回転できるように連結され、両側の前記緩速回転軸が前記貯水桶の左右両端に固定的に連結され、
前記貯水桶の中には上方に開口した貯水チャンバが設置され、水のサンプルを前記貯水チャンバの中に入れることができ、前記貯水チャンバの中にはスライド板がスライドできるように設置され、前記スライド板の下端には固定スライダが固定的に連結され、前記固定スライダの中には下方に開口した密封チャンバが設置され、前記貯水チャンバの下端には固定ピストンが固定的に連結され、前記固定ピストンの上端が前記密封チャンバの中に伸びており、また前記固定ピストンの上端には圧力プローブが固定的に連結され、前記圧力プローブは前記密封チャンバの中の気圧値を検査測定できることを特徴とする請求項２に記載の河口域における海洋環境モニタリング設備。
【請求項５】
前記貯水チャンバの下側内壁には伝動チャンバが左右対称的に設置され、前記伝動チャンバの中には噛み合いギヤが前後対称的に、且つ回転できるように設置され、前後両側の前記噛み合いギヤの間が噛み合っており、左右両側の前記噛み合いギヤのうち対称中心から離れた一端にはベルト巻き輪が固定的に連結され、左右両側の前記ベルト巻き輪の間には電動軸が固定的に連結され、左側の前記伝動チャンバの左側内壁の中にはモーターが固定的に設置され、前側の前記電動軸の左端が前記モーターに動力が伝達できるように連結され、前記ベルト巻き輪の円周面には張りベルトが巻き付いており、
前記伝動チャンバの上側内壁の中にはベルト溝が前後対称的に、且つ連通するように形成されており、前記ベルト溝の上側内壁の中には上方に開口した収納チャンバが連通するように設置され、前記収納チャンバのうち対称中心に近接した片側内壁が前記貯水チャンバに連通しており、前記収納チャンバの左右内壁の間にはねじれ軸が回転できるように連結され、前記ねじれ軸の円周面にはねじれ輪が左右対称的に固定的に連結され、前記張りベルトの上端が前記収納チャンバの中に伸びており、且つ前記ねじれ輪の円周面に巻き付いており、両側の前記ねじれ軸の間にはフィルターが巻き付くように連結され、前記ベルト溝の中には密封ブロックが固定的に設置され、前記張りベルトが前記密封ブロックにスライドできるように連結されていることを特徴とする請求項４に記載の河口域における海洋環境モニタリング設備。
【請求項６】
左右両側の前記ねじれ輪のうち対称中心から離れた一端と前記収納チャンバの左右両側内壁との間にはトーションばねが固定的に連結されていることを特徴とする請求項５に記載の河口域における海洋環境モニタリング設備。
【請求項７】
前記補助装置は前記架台の中に左右対称的に設置された転向チャンバを含み、両側の前記長回転軸の上端がそれぞれ両側の前記転向チャンバの中に伸びており、また両側の前記長回転軸の上端には転向主動ギヤが固定的に連結され、前記転向主動ギヤの前側には転向従動ギヤが噛み合うように設置され、前記転向従動ギヤの前端には連結軸が固定的に連結され、前記連結軸の円周面にはチェーン巻き輪が固定的に連結され、前記転向チャンバのうち対称中心に近接した片側内壁の中には下方に開口した方向ガイドチャンバが設置され、前記方向ガイドチャンバの前後内壁の間には固定軸が回転できるように連結され、前記固定軸の円周面には方向ガイド輪が固定的に連結され、前記方向ガイド輪と前記チェーン巻き輪との間にはチェーンが連結され、前記チェーンの下端が前記貯水桶に固定的に連結されていることを特徴とする請求項４に記載の河口域における海洋環境モニタリング設備。
【請求項８】
前記方向ガイド輪の中には前記固定軸に背を向ける方向に開口した方向ガイド溝が形成されていることを特徴とする請求項７に記載の河口域における海洋環境モニタリング設備。